(57)【要約】【課題】複数の付け毛を組み合わせることで、誰もが容易かつ迅速にヘアーアーティスト並の華麗な髪型を作ることができ、普段着で来訪する花嫁のウェディングドレスの衣装合わせやファッションショー、パーティー等の衣装合わせの際に特に有益な、付け毛セットを提供する。【解決手段】塑性変形可能な芯基材の長さ全部に、巻き毛状にカールしたみの毛を巻きつけて芯基材を螺旋形状に形成し、頭部に装着する部分には係止具を取り付けた付け毛であって、この１本からなる付け毛と、これを複数本結束して一形状とした付け毛、及び、後頭部専用付け毛とを自在に組み合わせて使用する。【選択図】図１
0003166001.tif 000002
【実用新案登録請求の範囲】
【請求項１】
塑性変形可能な芯基材の長さ全部に、巻き毛状にカールしたみの毛を巻きつけて芯基材を螺旋形状に形成し、頭部に装着する部分には係止具を取り付けた付け毛であって、形状の異なる複数種の前記付け毛を自在に組み合わせて所望の髪型を作ることができる付け毛セット。
【請求項２】
請求項１の付け毛の一端を複数本結束した付け毛であって、この付け毛が１本、３本又は５本からなり、その結束部に頭部装着用の係止具を備えた付け毛と、ネットキャップに巻き毛状にカールしたみの毛を取り付け、ネットキャップの外周に組み込んだ紐体を引っ張ることでボリュームに変化をつけることができる後頭部専用付け毛とを、複数自在に組み合わせ、所望の髪型を作ることができる付け毛セット。
【考案の詳細な説明】
【技術分野】
【０００１】
本考案は、付け毛に関するもので、更に詳しくは、複数種の付け毛を組み合わせて使用する付け毛セットに関するものである。
【背景技術】
【０００２】
従来、付け毛は、増毛用、頭飾用として多く市販され、また盛んに使用されている。特に頭飾用の付け毛については、みの毛部分が直毛のものばかりか、巻き毛状にカールしたものもある。さらには、カールしたみの毛をワイヤー等に螺旋状に巻きつけ、１本の巻き髪形状の付け毛として形成し、係止具によって頭髪に装着することができる製品もすでに市販されている。これらの付け毛は、みの毛部分が１本であるか、幅広の付け毛においては一面であるのが通常である。
【０００３】
また、装飾用付け毛においては、長さの異なる付け毛で毛髪の長さに変化をつけるような考案もなされている。
【先行技術文献】
【特許文献】
【０００４】
【特許文献１】特開２００１−８１６１９号公報
【特許文献２】実用新案登録第３０８９１２６号公報
【特許文献３】特開２０００−３０３２３９号公報
【考案の概要】
【考案が解決しようとする課題】
【０００５】
頭飾用の付け毛については、自毛に十分な長さがない場合や直毛の場合にも、容易に華やかな髪型が作れるため、需要が増えている。
しかしながら、みの毛部分が１本又は一面の従来の付け毛では、結婚式、ファッションショー、パーティー等で華やかな髪型を迅速に作らなければならない場合、付け毛を何個も使用することになり、頭髪への装着に煩雑さと手間を要し、また装着が不安定になるおそれもある。
また、結合して使用するタイプの付け毛においても、それぞれの付け毛を装着する部位が決まっており、迅速さが要求される場面では使い勝手が悪く、また出来上がる髪型も一定のものに限定される。
さらに、かつらを使用する場合には、その形状が長髪、短髪、カールの有無等、種類が固定しており、個々のドレスのデザインや、装着する人の容姿・嗜好等に柔軟に対応することができない。
【０００６】
本考案は、あらかじめ用意された、形状の異なる４種の付け毛をセットにして、上記課題を克服する付け毛を提供するもので、前記４種の付け毛を自在に組み合わせて使用することで、迅速かつ容易にバリエーションに富んだ髪型を作ることが可能な頭飾用付け毛セットを提供する。
【課題を解決するための手段】
【０００７】
上記の課題を達成するために、本考案は下記の構成とする。
巻き髪状にカールしたみの毛部分を従来の１本とした付け毛、また、みの毛部分３本及び５本をそれぞれひとまとめにした２種の付け毛、及び、後頭部専用の付け毛の合計４種の付け毛を１セットとする。
この４種の付け毛の組み合わせにより、かつらでは対応できない、より華麗で繊細な髪形を作ることができ、従来の付け毛使用時に生じる煩雑さと手間を迅速かつ容易に解決できる。
また、後頭部専用の付け毛以外の付け毛の中心部にはワイヤー等の塑性変形可能な芯基材が縫着されているため、折り曲げたりねじったりするだけで容易に動きのある華やかな髪型が形成でき、熟練した美容師でなくともヘアピン１本で自在に髪型をつくることが可能になる。
【考案の効果】
【０００８】
上述のような特性から、本考案は、迅速かつ容易に華やかな髪型を作るという効果があり、特に普段着で来訪する花嫁のウェディングドレスの衣装合わせ、ファッションショー、パーティー等の衣装合わせの際に、誰もが迅速かつ容易にもっともふさわしい髪型、特にアップスタイル等の華やかで凝った髪型をヘアアーティストの存在なしで作ることが可能になる点で特に有益であり、ブライダル業界・フォーマル業界において特に使用が期待されるものである。
【考案を実施するための形態】
【０００９】
以下、本考案について、図面を引用しつつ説明する。
図１〜図３はみの毛部分がそれぞれ、１本、３本、５本の付け毛である。
図１の付け毛Ａは、ワイヤー等の塑性変形可能な芯基材３の長さ全部に、巻き毛状にカールしたみの毛２を巻きつけて芯基材を螺旋形状に形成し、頭部に装着する部分には係止具１を取り付けて形成する。
芯基材３のワイヤーはある程度太いほうが塑性変形させやすく望ましい。
頭部に装着する係止具１は、クリップまたはコームが望ましい。
【００１０】
図２はみの毛部分が３本タイプの付け毛Ｂであり、図３は５本タイプの付け毛Ｃである。図１で示した１本タイプの付け毛Ａのみの毛部分４を３本又は５本をひとまとめとし、一端を結束して、結束部に頭部に装着するためのコーム、コーム付きカチューシャ、又はヘアクリップ等の係止具１を取り付けて形成する。
【００１１】
図４は後頭部専用の付け毛Ｄで、ネットキャップに巻き毛状にカールしたみの毛２を取り付け、ネットキャップの外周に組み込んだ紐体を引っ張ることでボリュームに変化をつけることができる。ネットキャップには頭部装着用の係止具１を取り付けてなる。この係止具１はコームでも構わないが、ヘアクリップを組み合わせるとより安定感が増す。
【実施例】
【００１２】
図５は、上記の４種の付け毛を組み合わせて作り出せるヘアスタイルの一例である。
図１〜４の付け毛を組み合わせて使用することで、迅速かつ容易に多種多様なヘアスタイルを実現することができる。
本考案に示す４種の付け毛の組み合わせによれば、これ以外にも、多種多様な髪型を作り出すことが可能である。
【図面の簡単な説明】
【００１３】
【図１】図１はみの毛１本タイプの付け毛Ａを示したものである。
【図２】図２はみの毛３本タイプの付け毛Ｂを示したものである。
【図３】図３はみの毛５本タイプの付け毛Ｃを示したものである。
【図４】図４は後頭部専用タイプの付け毛Ｄを示したものである。
【図５】図５は本考案の４種の付け毛を組み合わせ実現可能な髪型の一例である。（実施例）
【符号の説明】
【００１４】
１    頭部装着用の係止具
２    みの毛
３    芯基材
４    付け毛Ａのみの毛部分
【図１】
0003166001.tif 000003
【図２】
0003166001.tif 000004
【図３】
0003166001.tif 000005
【図４】
0003166001.tif 000006
【図５】
0003166001.tif 000007
【手続補正書】
【提出日】平成22年12月2日(2010.12.2)
【手続補正１】
【補正対象書類名】実用新案登録請求の範囲
【補正対象項目名】請求項２
【補正方法】変更
【補正の内容】
【請求項２】
塑性変形可能な芯基材の長さ全部に、巻き毛状にカールしたみの毛を巻きつけて芯基材を螺旋形状に形成した付け毛の一端を複数本結束した付け毛であって、この付け毛が１本、３本又は５本からなり、その結束部に頭部装着用の係止具を備えた付け毛と、ネットキャップに巻き毛状にカールしたみの毛を取り付け、ネットキャップの外周に組み込んだ紐体を引っ張ることでボリュームに変化をつけることができる後頭部専用付け毛とを、複数自在に組み合わせ、所望の髪型を作ることができる付け毛セット。